(57)【特許請求の範囲】
【請求項１】
レンズ体を内部に保持するレンズ枠と、
前記レンズ枠に嵌め合わされるレンズキャップと、を備え、
前記レンズ枠は、
ベース部と、
前記ベース部に接続する第１筒部と、を有し、
前記レンズキャップは、前記ベース部との間に隙間を設けて前記第１筒部の外周面に嵌め合わされており、
前記第１筒部は、前記隙間を形成する外周面が滑らかな形状であり、
前記第１筒部は、前記ベース部に接続する基端部から光軸方向に延び、前記滑らかな形状の前記隙間を形成する外周面を有する第１嵌合部と、前記光軸方向に先端部まで延び、当該先端部から外周面に螺溝が設けられた雄ネジ部と、を有し、
前記第１嵌合部の前記滑らかな形状の前記隙間を形成する外周面と前記雄ネジ部の前記螺溝が設けられた外周面は、連続して設けられ、
前記レンズキャップは、前記第１筒部の外周面に嵌め合わされる第２筒部を有し、
前記第２筒部は、前記ベース部に近い端部から前記光軸方向に延び、少なくとも一部が前記第１嵌合部の一部に嵌合し、少なくとも一部が前記滑らかな形状の前記隙間を形成する外周面に対向する滑らかな形状の内周面を有する第２嵌合部と、前記光軸方向に延び、前記雄ネジ部に螺合する雌ネジ部と、を有し、
前記第２嵌合部の前記滑らかな形状の内周面と前記雌ネジ部の螺溝が設けられた内周面は、連続して設けられている、
レンズ鏡筒。
【請求項２】
前記雌ネジ部の最も前記第２嵌合部側のねじ山の断面が、鋸歯状である、
請求項１に記載のレンズ鏡筒。
【請求項３】
前記隙間を形成する外周面が、周方向に同一の形状を有する、
請求項１又は２に記載のレンズ鏡筒。
【請求項４】
前記レンズキャップは、前記ベース部に近い端部へ向かって次第に縮径する外周面を形成する面取部を有する、
請求項１から３のいずれか１項に記載のレンズ鏡筒。
【請求項５】
前記隙間に封止剤が充填されている、
請求項１から４のいずれか１項に記載のレンズ鏡筒。
【請求項６】
請求項１から５のいずれか１項に記載のレンズ鏡筒と、
前記レンズ体を透過して結像面に結像した画像を示す電気信号を出力する撮像素子と、を備える、
撮像ユニット。
【請求項７】
請求項６に記載の撮像ユニットと、
前記撮像素子から出力された電気信号が示す画像に画像処理を施す制御部と、を備える、
撮像装置。
【発明の詳細な説明】
【技術分野】
【０００１】
本発明は、レンズ鏡筒、撮像ユニット及び撮像装置に関する。
【背景技術】
【０００２】
特許文献１には、レンズからなるレンズ体（特許文献１では「光学素子群」と称される。）を内部で保持するレンズ枠（特許文献１では「鏡筒」と称される。）と、レンズ枠の前部外周面に設けられる円環状のレンズキャップ（特許文献１では「光学素子押さえ」と称される。）とを備える撮像装置が開示されている。また、特許文献１に記載の撮像装置では、レンズキャップの内周面に雌ネジが形成され、この雌ネジがレンズ枠の雄ネジに螺合することにより、レンズからなる光学素子群がレンズ枠の内部に保持される。
【０００３】
特許文献１に記載のレンズ枠の外周面には、撮影光軸に沿って中間部に凸部が形成されており、凸部は、レンズ枠の外周面を一周して形成されている。そして、特許文献１には、レンズ枠に螺合したレンズキャップの後端が、凸部に当接した状態が図示されている。
【０００４】
ところで、特許文献１では、レンズ枠内部の気密性を保持すべく、レンズとレンズ枠の前部側端面との間にＯリングを設けることが記載されている。
【０００５】
しかし、この種の撮像装置は、撮像素子、プロセッサなどとともに、例えば自動車の外に設置される車載カメラや屋外に設置される監視カメラなどに採用されることがある。このような屋外で使用される場合、Ｏリングが設けられていたとしても、レンズキャップと凸部とが当接した部分から螺合した部分を通って、レンズ枠内部に雨水、粉塵などが浸入するおそれがある。
【０００６】
そこで、特許文献１に記載の撮像装置とは異なり、レンズキャップの後端とレンズ枠の凸部との間に隙間を設け、その隙間は、接着剤などの封止剤で塞がれることがある。例えば、封止剤は、レンズ枠に対して周方向に移動するノズルから隙間に注ぎ込まれ、その後、硬化することで隙間を塞ぐ。
【０００７】
隙間に注ぎ込まれた封止剤が、硬化する前に、レンズキャップと凸部それぞれの雌ネジと雄ネジの間を通ってレンズ枠内部に入り込まないように、封止剤には、ある程度粘度が大きいものが採用されることが多い。
【先行技術文献】
【特許文献】
【０００８】
【特許文献１】特開２０１１−２１５１８３号公報
【発明の概要】
【発明が解決しようとする課題】
【０００９】
しかしながら、封止剤の粘度が大きいと、封止剤が隙間の隅々に行きわたらず、封止剤を注ぎ込んだ後に、隙間に空気が残ってしまうことがある。例えば、封止剤は、隙間を囲む雄ネジの部分、特に雄ネジの谷へ行きわたり難いので、雄ネジの部分に空気が残ることが多い。
【００１０】
空気が残った状態で封止剤が硬化すると、その空気の周囲では、封止剤が薄くなることがある。封止剤の薄い部分は、経年劣化、使用時の振動などで破損する可能性がある。封止剤が破損すると、破損した箇所から雨水、粉塵などがレンズ枠内部に入り込むおそれがある。
【００１１】
また、例えば雄ネジの谷の部分に沿って連続して空気が残っていると、その空気が集まって１つの大きな気泡となって封止剤に孔が生じ、その結果、封止剤が欠落した箇所を生じさせることがある。封止剤が欠落した箇所から雨水、粉塵などがレンズ枠内部に入り込むおそれがある。
【００１２】
このようなレンズ鏡筒が、車載カメラ、監視カメラなどの撮像装置に適用されると、レンズ枠内部に入り込んだ雨水、粉塵などは、レンズ体に含まれるレンズの表面に付着したり、レンズ体を損傷させたりすることにより、光路障害の原因となることがある。また、レンズ枠内部に入り込んだ雨水、粉塵などは、撮像素子の撮像面に付着して写り込んだり、撮像素子を損傷させたりすることがある。このような、光路障害、雨水、粉塵などの映り込み、撮像素子の損傷は、撮像装置によって撮影された撮像画像の解像度の劣化につながる可能性がある。
【００１３】
本発明は、上記実情に鑑みてなされたものであり、レンズ枠とレンズキャップとの間に設けられた隙間をより確実に塞ぐことが可能なレンズ鏡筒、撮像ユニット及び撮像装置を提供することを目的とする。
【課題を解決するための手段】
【００１４】
上記目的を達成するため、本発明に係るレンズ鏡筒は、
レンズ体を内部に保持するレンズ枠と、
前記レンズ枠に嵌め合わされるレンズキャップと、を備え、
前記レンズ枠は、
ベース部と、
前記ベース部に接続する第１筒部と、を有し、
前記レンズキャップは、前記ベース部との間に隙間を設けて前記第１筒部の外周面に嵌め合わされており、
前記第１筒部は、前記隙間を形成する外周面が滑らかな形状である。
【００１５】
これにより、隙間に注ぎ込まれた封止剤は、隙間の隅々に行きわたり易くなり、隙間の一部に空気が残り難くなる。従って、レンズ枠とレンズキャップとの間に設けられた隙間をより確実に塞ぐことが可能になる。
【００１６】
例えば、前記隙間を形成する外周面が、周方向に同一の形状を有してもよい。
【００１７】
これにより、隙間を塞ぐために必要な封止剤の量は、周方向で概ね一定になる。そのため、周方向に一定の量の封止剤を周方向に流し込むことで、隙間を封止剤で塞ぐことができる。従って、隙間の全周にわたって概ね適切な量の封止剤を流し込んで確実に隙間を塞ぐことが可能になる。余分な封止剤を使用しなくてもよいので、材料費を抑えることも可能になる。
【００１８】
例えば、前記レンズキャップは、前記ベース部に近い端部へ向かって次第に縮径する外周面を形成する面取部を有してもよい。
【００１９】
これにより、封止剤を注ぎ込むためのニードルを、ベース部の近傍にて第１筒部の径方向に移動させて隙間へ次第に近づけると、ニードル先端は、面取部に当接して隙間の中に位置づけられる。そのため、レンズ鏡筒を構成する部材の製造誤差などのために隙間の光軸方向の長さが変化しても、面取部が設けられていない場合よりも、ニードル先端を隙間の中に確実かつ容易に位置づけることができる。従って、封止剤を隙間に確実かつ容易に流し込むことが可能になる。
【００２０】
また、一般的に、隙間の全体に封止剤を流し込むために、レンズキャップが嵌め込まれたレンズ枠をレンズ体の光軸を中心にニードルに対して回転させることが多いが、本発明に係るレンズ鏡筒は、上述の面取部を有するので、ニードルの先端が面取部に当接した状態からニードルをさらに光軸に近づけるように第１筒部の径方向に移動させると、ニードル先端は面取部に沿って移動して、ニードルの側部がベース部に当接させることができる。例えばニードルが面取部のみに当接している場合よりも、ニードルが面取部とベース部とに当接している方が、レンズキャップが嵌め込まれたレンズ枠を回転させたときに、ニードルを隙間の中に安定して位置づけることができる。従って、隙間の全周にわたって封止剤を確実に流し込むことが可能になる。
【００２１】
さらに、一般的に、従来、ニードルを隙間の中に配置する際に光軸方向のニードルの位置がずれる可能性や、レンズ鏡筒を構成する部材の製造誤差などを考慮して隙間の光軸方向の長さが最も短くなる場合であっても、ニードル先端を確実に隙間内に配置できるようにニードル先端の直径が決定されることが多い。ニードルが細い場合は、ニードルが太い場合に比べて、封止剤を一定時間に隙間へ注ぎ込むことができる量が少ないため、隙間に注ぎ込むための時間が長くなってしまい、生産性も低下するおそれがある。
【００２２】
本発明に係るレンズキャップが面取部を有するので、レンズキャップが有する端部のうちベース部に近い端部と、ベース部との光軸方向の長さより太い外径を有するニードルを用いて、封止剤を隙間に確実に流し込むことができる。すなわち、面取部が設けられていない場合よりも、太い外径を有するニードルを隙間の中に挿入することができる。そのため、面取部が設けられていない場合よりも、太いニードルを用いて封止剤を隙間に注ぎ込むことができる。従って、生産性の向上を図ることが可能になる。
【００２３】
例えば、前記第１筒部は、
前記ベース部に接続する基端部から光軸方向に延び、滑らかな形状の外周面を有する第１嵌合部と、
前記第１嵌合部に接続して前記光軸方向に先端部まで延び、当該先端部から外周面に螺溝が設けられた雄ネジ部と、を有し、
前記レンズキャップは、前記第１筒部の外周面に嵌め合わされる第２筒部を有し、
前記第２筒部は、
前記ベース部に近い端部から前記光軸方向に延び、少なくとも一部が前記第１嵌合部の一部に嵌合する滑らかな形状の内周面を有する第２嵌合部と、
前記第２嵌合部に接続して前記光軸方向に延び、前記雄ネジ部に螺合する雌ネジ部と、を有してもよい。
【００２４】
これにより、レンズキャップをレンズ枠にネジ込むことで、第２嵌合部を第１嵌合部の一部に嵌め合わせ、その結果として、第１嵌合部の残部が、隙間を形成する外周面となる。レンズキャップをレンズ枠にネジ込む量が、一般的な製造誤差などのためにレンズ鏡筒ごと或いはレンズ鏡筒を構成する部材のロットごとに異なる場合であっても、第１嵌合部の残部によって隙間を形成する滑らかな外周面を確実に形成することができる。従って、レンズ枠とレンズキャップとの間に設けられた隙間をより確実に塞ぐことが可能になる。
【００２５】
例えば、前記隙間に封止剤が充填されていてもよい。
【００２６】
これにより、雨水、粉塵などが、雄ネジ部と雌ネジ部との間を通じてレンズ枠の内部に入り込んで、レンズ体に含まれるレンズの表面に付着する可能性が低減する。従って、レンズ枠内部に入り込んだ雨水、粉塵などが、レンズの表面に付着して光路障害を生じさせることによって、レンズ鏡筒を用いて撮影された撮像画像の解像度が劣化することを抑えることが可能になる。
【００２７】
また、雄ネジ部と雌ネジ部との間を通じてレンズ枠の内部に入り込んだ雨水、粉塵などによってレンズ体が損傷する可能性を低減することが可能になる。
【００２８】
上記目的を達成するため、本発明に係る撮像ユニットは、上記のレンズ鏡筒と、前記レンズ体を透過して結像面に結像した画像を示す電気信号を出力する撮像素子と、を有する。
【００２９】
上述のように、レンズ鏡筒では、レンズ枠とレンズキャップとの間に設けられた隙間をより確実に塞ぐことが可能になる。これにより、雨水、粉塵などが、雄ネジ部と雌ネジ部との間を通じてレンズ枠の内部に入り込んで、レンズ体に含まれるレンズの表面に付着したり、撮像素子の撮像面に付着したりする可能性がより低減する。従って、レンズ枠内部に入り込んだ雨水、粉塵などが、レンズの表面に付着して光路障害を生じさせたり、撮像素子の撮像面に付着して映り込んだりすることによって、撮像装置によって撮影された撮像画像の解像度が劣化することをより抑えることが可能になる。
【００３０】
また、雄ネジ部と雌ネジ部との間を通じてレンズ枠の内部に入り込んだ雨水、粉塵などによってレンズ体や撮像素子が損傷する可能性を低減することが可能になる。
【００３１】
上記目的を達成するため、本発明に係る撮像装置は、上記の撮像ユニットと、前記撮像素子から出力された電気信号が示す画像に画像処理を施す制御部と、を有する。
【００３２】
上述のように、レンズ鏡筒では、レンズ枠とレンズキャップとの間に設けられた隙間をより確実に塞ぐことが可能になる。これにより、雨水、粉塵などが、雄ネジ部と雌ネジ部との間を通じてレンズ枠の内部に入り込んで、レンズ体に含まれるレンズの表面に付着したり、撮像素子の撮像面に付着したりする可能性がより低減する。従って、レンズ枠内部に入り込んだ雨水、粉塵などが、レンズの表面に付着して光路障害を生じさせたり、撮像素子の撮像面に付着して映り込んだりすることによって、撮像装置によって撮影された撮像画像の解像度が劣化することを抑えることがより可能になる。
【００３３】
また、雄ネジ部と雌ネジ部との間を通じてレンズ枠の内部に入り込んだ雨水、粉塵などによってレンズ体や撮像素子が損傷する可能性を低減することが可能になる。
【発明の効果】
【００３４】
本発明によれば、レンズ枠とレンズキャップとの間に設けられた隙間をより確実に塞ぐことが可能なレンズ鏡筒、撮像ユニット及び撮像装置を提供することが可能になる。
【図面の簡単な説明】
【００３５】
【図１】一実施の形態に係るレンズ鏡筒の分解斜視図である。
【図２】一実施の形態に係るレンズ鏡筒の断面図である。
【図３】一実施の形態に係るレンズ鏡筒が備えるレンズ枠の断面図である。
【図４】一実施の形態に係るレンズ鏡筒が備える封止剤の近傍を拡大して示す断面図である。
【図５】レンズキャップが嵌め合わされたレンズ枠の断面拡大図である。
【図６】図５に示すレンズキャップが嵌め合わされたレンズ枠に対して、封止剤を流し込むためのニードルが配置された初期状態を拡大して示す図である。
【図７】図６に示す初期状態からニードルが移動して、ニードルがレンズキャップの面取部に当接した状態を拡大して示す図である。
【図８】図７に示す状態からさらにニードルが移動して、ニードルがレンズキャップの面取部とフランジの前面部とに当接した状態を拡大して示す図である。
【図９】封止剤がニードルから隙間に注入された状態を拡大して示す図である。
【図１０】隙間に注ぎ込まれた封止剤に紫外線を照射する様子を拡大して示す図である。
【図１１】変形例１に係る第１嵌合部の断面拡大図である。
【図１２】変形例２に係る第１嵌合部の断面拡大図である。
【図１３】変形例３に係る第１嵌合部の断面拡大図である。
【図１４】変形例４に係る第１嵌合部の断面拡大図である。
【図１５】変形例５に係る第１嵌合部の断面拡大図である。
【図１６】変形例６に係る第１嵌合部の断面拡大図である。
【図１７】一実施の形態に係るレンズ鏡筒を有する車載カメラの外観の一例を示す斜視図である。
【図１８】図１７に示す車載カメラを側方から見た断面図である。
【図１９】一実施の形態に係るレンズ鏡筒を有する車載カメラの外観の他の例を示す斜視図である。
【発明を実施するための形態】
【００３６】
（実施の形態）
以下、本発明の一実施の形態に係るレンズ鏡筒を、図を参照しながら説明する。なお、全ての図を通じて、同一の要素には同一の符合を付す。また、前・後・上・下・左・右などの方向を示す用語を用いるが、これらの用語は説明のために用いるのであって、本願の発明を限定する趣旨ではない。
【００３７】
レンズ鏡筒１０は、分解斜視図である図１及び断面図である図２に示すように、概ね、複数のレンズ１０１を含むレンズ体１００と、レンズ体１００を内部に保持するレンズ枠２００と、レンズ枠２００に嵌め合わされて、レンズ体１００を前方から押さえるレンズキャップ３００と、レンズ枠２００とレンズキャップ３００との間の隙間４００を塞ぐ封止剤４１０とを備える。
【００３８】
複数のレンズ１０１は、光軸Ａが一致するように並べて配置されている。隣接するレンズ１０１は、例えば外周縁近傍に設けられた光軸Ａに垂直な面で、互いに当接している。本実施の形態では、光軸Ａの方向（光軸方向）が前後方向であり、被写体側が前方であり、撮像素子などが有する撮像面が配置される撮像面側が後方であるものとして説明する。
【００３９】
レンズ枠２００は、図２及び断面図である図３に示すように、概ね、中空有底の円筒状をなす部分（第３筒部２１１及び第１筒部２２０）と、この円筒状をなす部分の途中で径方向の外方へ全周にわたって突き出すフランジ部２１２とを備える。レンズ枠２００は、射出形成などにより一体的に設けられており、前方から後方へ向かって段階的に狭くなる一連の内壁部２３０を有する。内壁部２３０は、レンズ体１００を収容するための一連のレンズ収容空間２４０を形成している。
【００４０】
詳細には、レンズ枠２００は、図２及び図３に示すように、ベース部２１０と第１筒部２２０とを有する。
【００４１】
ベース部２１０は、概ね円筒状の第３筒部２１１と、第３筒部２１１の前端に設けられたフランジ部２１２と、第３筒部２１１の後端に設けられた後壁部２１３とを有する。
【００４２】
第３筒部２１１は、上述の内壁部２３０の一部を内部に有し、この内壁部２３０の一部によってレンズ収容空間２４０の一部が形成されている。
【００４３】
フランジ部２１２は、第３筒部２１１の前端の全周にわたって径方向の外方へ突き出す部位である。フランジ部２１２は、光軸Ａに対して垂直な平面を前面に形成する前面部２１４を有する。
【００４４】
後壁部２１３は、レンズ収容空間２４０に連通してレンズ体１００を透過した光を通過させるための穴２１５を有する。後壁部２１３の前面のうち穴２１５の周辺部は、レンズ体１００に含まれる複数のレンズ１０１のうち最も後方に配置されるレンズ１０１と当接する。これによって、レンズ体１００は、レンズ枠２００の中で後方へ移動しないように係止される。
【００４５】
第１筒部２２０は、概ね円筒状の部位であって、図３に示すように、上述の内壁部２３０の一部を内部に有し、この内壁部２３０の一部によってレンズ収容空間２４０の一部が形成されている。第１筒部２２０は、ベース部２１０の前面部２１４に接続する後端部から前方へ延びる第１嵌合部２２１と、第１嵌合部２２１に接続してさらに前方へ延び、外周面に螺溝が設けられた雄ネジ部２２２とを有する。
【００４６】
第１嵌合部２２１の外周面は、図３及び拡大断面図である図４に示すように、滑らかな、かつ、周方向に同一の形状を有する。本実施の形態では、第１嵌合部２２１の外周面は、光軸Ａを中心として同一の径を有する円が前後方向に延びた円周面である。
【００４７】
雄ネジ部２２２は、第１嵌合部２２１に接続して前方へ延び、第１筒部２２０の前端部を形成する部位である。本実施の形態では、雄ネジ部２２２と第１嵌合部２２１とは、外周面の直径が概ね等しくなるように設けられている。すなわち、前方から見た場合に、雄ネジ部２２２のネジ山の頂点がなす円と、第１嵌合部２２１の外周面がなす円との直径が概ね等しくなるように設けられている。
【００４８】
レンズキャップ３００は、図２に示すように、第１筒部２２０の外周面に嵌め合わされて、後壁部２１３とともにレンズ体１００を挟持する部材である。
【００４９】
詳細には、レンズキャップ３００は、前後方向に延びて第１筒部２２０の外周面に嵌め合わされる第２筒部３１０と、第２筒部３１０の先端部に接続して光軸Ａへ向かって突き出すことで、レンズ体１００の前面の外縁部近傍に当接するレンズ係止部３２０とを有する。
【００５０】
第２筒部３１０は、第１筒部２２０の前端部からその途中まで、詳細には第１嵌合部２２１の途中まで嵌め合わされる。これにより、第２筒部３１０の後端部が、前面部２１４から離間し、その結果、第２筒部３１０の後端部と前面部２１４との間に隙間４００が設けられる。そして、隙間４００は、円周方向には、第１嵌合部２２１の外周面で画されることになる。
【００５１】
より詳細には、第２筒部３１０は、ベース部２１０に近い後端部から延びる第２嵌合部３１１と、第２嵌合部３１１とレンズ係止部３２０とに接続する雌ネジ部３１２とを有する。
【００５２】
第２嵌合部３１１は、滑らかな形状の内周面を有し、少なくとも一部が第１嵌合部２２１に嵌合する。第２嵌合部３１１の内周面は、光軸Ａを中心として同一の径を有する円が前後方向に延びた円周面である。第２嵌合部３１１の内周面は、第１嵌合部２２１の外周面に周方向に摺動可能な程度の大きさで設けられる。
【００５３】
また、第２嵌合部３１１は、前面部２１４に近い光軸方向に垂直な端部である後端部の近傍に面取部３１３を有する。面取部３１３は、第２嵌合部３１１の後端部へ向かって次第に縮径する外表面を形成する。
【００５４】
雌ネジ部３１２は、内周面に螺溝が設けられており、雄ネジ部２２２と螺合している。すなわち、雄ネジ部２２２と雌ネジ部３１２とは、ネジ作用で嵌り合っている。
【００５５】
なお、レンズ枠２００及びレンズキャップ３００の各々は、例えば樹脂製である。それぞれの構成材料として好適に採用される樹脂としては、ポリカーボネート（ＰＣ）、ポリメタクリル酸メチル（ＰＭＭＡ）、ポリエチレン、ポリプロピレン、ポリ塩化ビニル、ポリスチレン、アクリロニトリル−ブタジエン−スチレン（ＡＢＳ）、ポリアミド樹脂（ＰＡ）を挙げることができる。
【００５６】
封止剤４１０は、紫外線硬化性樹脂であり、図２及び図４に示すように、隙間４００を塞ぐことで、雄ネジ部２２２と雌ネジ部３１２との間を通じてレンズ枠２００の内部へ雨水や粉塵などが入り込むことを防ぐとともに、レンズ枠２００に対してレンズキャップ３００が回転しないように固定する。
【００５７】
例えば、図４などに示す断面において、隙間４００の前後方向の長さ、上下方向の長さが、それぞれ、１ｍｍ程度である場合、封止剤４１０が硬化する前の粘度は、２００００〜２５０００ｍＰａ・ｓ程度が望ましい。
【００５８】
これまで、本実施の形態に係るレンズ鏡筒１０の構成について説明した。ここから、本実施の形態に係るレンズ鏡筒１０の製造方法について説明する。
【００５９】
まず、複数のレンズ１０１の各々が設計上定められた順でレンズ枠２００の中に嵌め込まれる。
【００６０】
このとき、複数のレンズ１０１の各々は、レンズ枠２００の内壁部２３０に嵌め合わされ、レンズ体１００の径方向の位置が固定される。また、複数のレンズ１０１のうち、最も後方に位置するレンズ１０１は、後壁部２１３が有する穴２１５の周辺部に当接するとともに、前後方向に隣接するレンズ１０１が互いに当接する。これにより、レンズ体１００は、後方に移動しないようにレンズ枠２００の中に係止される。
【００６１】
なお、複数のレンズ１０１の各々の縁に接着剤が塗布され、レンズ枠２００の中に嵌め込まれる際に、外周面に接着剤などが塗布されてもよい。
【００６２】
次に、レンズキャップ３００が、レンズ体１００が嵌め込まれたレンズ枠２００に取り付けられる。
【００６３】
詳細には、レンズキャップ３００の後端近傍を第１筒部２２０の先端近傍に嵌め、レンズキャップ３００をレンズ枠２００に対して後方へ押しながら光軸Ａを中心に回転させる。これにより、第２筒部３１０は、第１筒部２２０にねじ込まれて、雄ネジ部２２２と雌ネジ部３１２とが螺合する。
【００６４】
第２筒部３１０は、レンズ係止部３２０が最も前方に位置するレンズ１０１に当接して、設計上定められた大きさの力で最も前方に位置するレンズ１０１を後方へ押すまで、第１筒部２２０にねじ込まれる。これにより、図５に示すように、レンズキャップ３００がレンズ枠２００に嵌め合わされる。
【００６５】
ここで、レンズ体１００は、上述のように、後壁部２１３の穴２１５の周辺部により後方へ移動しないように係止されている。そのため、レンズ係止部３２０が一番玉のレンズ１０１を押すことによって、レンズ体１００は、レンズ係止部３２０と後壁部２１３との間に光軸方向へ移動しないように挟持され、その結果、レンズ枠２００の内部で位置が固定されて保持される。
【００６６】
また、レンズ係止部３２０で囲まれた開口を通じて、最も前方に位置するレンズ１０１の前面が前方へ露出し、かつ、後壁部２１３の穴２１５を通じて、複数のレンズ１０１のうち、最も後方に位置するレンズ１０１が後方へ露出する。これにより、前方からレンズ鏡筒１０へ入射した光を、レンズ体１００の内部を通過させて鏡筒１０の後方へ導出することができる。
【００６７】
さらに、第１筒部２２０と第２筒部３１０とにおいて、雄ネジ部２２２と雌ネジ部３１２とはネジ作用により嵌り合い、第１嵌合部２２１と第２嵌合部３１１とはそれぞれの滑らかな外周面と滑らかな内周面とで嵌り合う。そして、第２嵌合部３１１の少なくとも一部が、第１嵌合部２２１の一部に嵌合する。
【００６８】
換言すると、本実施の形態では、レンズ鏡筒１０を構成するレンズ体１００、レンズ枠２００、レンズキャップ３００の寸法は、公差などを考慮しつつ、第２嵌合部３１１の少なくとも一部が第１嵌合部２２１の一部に嵌合し、かつ、第２嵌合部３１１と前面部２１４との間に隙間４００が形成されるように設定される。
【００６９】
そのため、第２嵌合部３１１と前面部２１４との間に隙間４００が形成され、第１嵌合部２２１の残部が、隙間４００を形成する外周面となる。レンズキャップ３００をレンズ枠２００にネジ込む量が、一般的な製造誤差などのために例えばレンズ鏡筒１０ごと或いはレンズ鏡筒１０を構成する部材のロットごとに異なる場合であっても、第１嵌合部２２１の残部によって隙間４００を形成する滑らかな外周面を確実に形成することができる。
【００７０】
続いて、封止剤４１０を注入するニードル５００が隙間４００の中に配置される。
【００７１】
詳細には、まず、レンズキャップ３００が嵌め合わされたレンズ枠２００は、光軸Ａを中心に回転させることが可能な装置に取り付けられる。ニードル５００は、図６に示すように、前後方向には前面部２１４よりも僅かに前方に位置づけられる。そして、ニードル５００は、第１筒部２２０の径方向に沿って、例えば下方へ移動することで、隙間４００に近付けられる。
【００７２】
ニードル５００が下方へ移動すると、図７に示すように、ニードル５００の先端は、面取部３１３に当接する。その後、ニードル５００は、さらに下方へ移動すると、面取部３１３に沿って移動し、図８に示すように、ニードル５００の側部が前面部２１４に当接する。
【００７３】
このように、ニードル５００は、面取部３１３によって隙間４００の中に案内される。そのため、前面部２１４に対するニードル５００の前後方向の位置がずれたり、隙間４００の前後方向の間隔が製造誤差などのために異なっていたりしても、ニードル５００を隙間４００の中に確実に配置することができる。
【００７４】
続いて、レンズキャップ３００が嵌め合わされたレンズ枠２００が、上述の装置により、光軸Ａを中心に回転させられるとともに、封止剤４１０がニードル５００から隙間４００へ流し込まれる。これにより、図９に示すように、封止剤４１０が、隙間４００の全周に流し込まれる。
【００７５】
このとき、ニードル５００は、上述のように隙間４００の中に配置されているので、封止剤４１０を周辺に飛散させることなく、隙間４００に確実に注ぎ込むことができる。
【００７６】
また、封止剤４１０は、第１嵌合部２２１の、隙間４００を形成する外周面上に注ぎ込まれる。第１嵌合部２２１の外周面は、滑らかな形状であるので、封止剤４１０は、隙間４００の隅々まで行きわたり易くなり、隙間４００の一部に空気が残る可能性を低減することが可能になる。
【００７７】
続けて、隙間４００に注ぎ込まれた封止剤４１０は、図１０に示すように、例えば紫外線照射器５１０によって紫外線が照射される。これによって、封止剤４１０が硬化する。その結果、硬化した封止剤４１０により、隙間４００は塞がれる。
【００７８】
隙間４００を封止剤４１０で塞ぐことにより、レンズ鏡筒１０の内部への雨水、粉塵などが侵入することを防ぐことが可能になる。また、レンズキャップ３００がレンズ枠２００に対して光軸Ａを中心に回転しないように、レンズキャップ３００とレンズ枠２００とを固定することができる。
【００７９】
以上、本発明の一実施の形態について説明した。
【００８０】
本実施の形態に係るレンズ鏡筒１０では、レンズキャップ３００とベース部２１０との間の隙間４００を形成する第１筒部２２０の外表面が、滑らかな形状である。そのため、隙間４００に注ぎ込まれた封止剤４１０は、隙間４００の隅々に行きわたり易くなり、隙間４００の一部に空気が残り難くなる。従って、レンズ枠２００とレンズキャップ３００との間に設けられた隙間４００をより確実に塞ぐことが可能になる。
【００８１】
また、従来のように隙間４００を形成する第１筒部２２０の外周面に雄ネジが設けられていると、隙間４００を形成する外周面が、周方向に沿って同一ではないため、隙間４００を塞ぐために注ぎ込むべき封止剤４１０の量が、周方向に変化することがある。このような場合、注ぎ込む封止剤４１０の量を周方向に変化させることは困難であるため、隙間４００を確実に塞ぐために、最も多くの封止剤４１０が必要になると予測される個所を塞ぐことができる一定の量を隙間４００の全周にわたって流し込むことが考えられる。
【００８２】
しかし、この方法では、少量でも塞ぐことができる箇所では、余分に封止剤４１０を流し込むことになり、封止剤４１０が隙間４００からはみ出してしまうおそれがある。このように、従来は、隙間４００の全周にわたって概ね適切な量の封止剤４１０を流し込んで確実に隙間４００を塞ぐことが困難である。また、余分な封止剤４１０を使用する結果、材料費も高くなってしまう。
【００８３】
本実施の形態に係るレンズ鏡筒１０では、隙間４００を形成する外周面が、周方向に同一の形状を有する。そのため、隙間４００を塞ぐために必要な封止剤４１０の量は、周方向で概ね一定になる。これにより、周方向に一定の量の封止剤４１０を周方向に流し込むことで、隙間４００を封止剤４１０で塞ぐことができる。従って、隙間４００の全周にわたって概ね適切な量の封止剤４１０を流し込んで確実に隙間４００を塞ぐことが可能になる。また、余分な封止剤４１０を使用しなくてもよいので、材料費を抑えることも可能になる。
【００８４】
一般的に、封止剤４１０を流し込むためのニードル５００は、封止剤４１０を隙間４００に確実に流し込むために、ニードル５００の先端が、隙間４００の中に配置されることが好ましい。
【００８５】
上述のように第１筒部２２０の径方向に沿ってニードル５００を移動させて隙間４００へ次第に近づけるとする。この場合において、仮に面取部３１３が設けられていなければ、ニードル５００を隙間４００の中に配置するために、ニードル５００を前後方向に高い精度で位置づけ、それを移動中も維持する必要があると考えられる。
【００８６】
また、一般的に、レンズ鏡筒１０を構成するレンズ体１００、レンズ枠２００、レンズキャップ３００には製造誤差などがあるため、隙間４００の前後方向の長さは、レンズ鏡筒１０ごとに或いはレンズ鏡筒１０を構成するレンズ体１００、レンズ枠２００、レンズキャップ３００のロットごとに、僅かに異なることが多い。
【００８７】
本実施の形態に係るレンズキャップ３００は、ベース部２１０に近い端部へ向かって次第に縮径する外周面を形成する面取部３１３を有する。これにより、ニードル５００を、上述のように第１筒部２２０の径方向に移動させて隙間へ次第に近づけると、ニードル５００の先端は、面取部３１３に当接して隙間４００の中に位置づけられる。
【００８８】
そのため、レンズ鏡筒１０を構成するレンズ体１００、レンズ枠２００、レンズキャップ３００の製造誤差などのために隙間４００の前後方向の長さが変化しても、面取部３１３が設けられていない場合よりも、ニードル５００の先端を隙間４００の中に確実かつ容易に位置づけることができる。
【００８９】
従って、封止剤４１０を隙間４００に確実かつ容易に流し込むことが可能になる。
【００９０】
また、上述のように隙間４００の全周に封止剤４１０を流し込むために、レンズキャップ３００が嵌め込まれたレンズ枠２００をレンズ体１００の光軸Ａを中心にニードル５００に対して回転させることが多い。
【００９１】
本実施の形態に係るレンズ鏡筒１０は、上述の面取部３１３を有するので、ニードル５００の先端が面取部３１３に当接した状態からニードル５００をさらに光軸Ａに近づくように、ニードル５００を第１筒部２２０の径方向に移動させると、ニードル５００の先端は、面取部３１３に沿って移動する。その結果、ニードル５００の側部がベース部２１０に当接する。これにより、ニードル５００の先端が面取部３１３とベース部２１０とに当接するので、ニードル５００の先端が面取部３１３のみに当接している場合よりも、レンズキャップ３００が嵌め込まれたレンズ枠２００を回転させたときに、ニードル５００の先端を隙間４００の中に安定して位置づけることができる。
【００９２】
従って、隙間の全周にわたって封止剤をより確実に流し込むことが可能になる。
【００９３】
さらに、従来、ニードル５００を隙間４００の中に配置する際にニードル５００の先端の位置が前後方向にずれる可能性や、レンズ鏡筒１０を構成するレンズ体１００、レンズ枠２００、レンズキャップ３００の製造誤差などを考慮して、隙間４００の前後方向の長さが最も短くなる場合であっても、ニードル５００の先端を確実に隙間４００の中に配置できるようにニードル５００の先端の直径が決定されることが多い。
【００９４】
ニードル５００が細い場合、ニードル５００が太い場合に比べて、一定時間に封止剤４１０を隙間４００へ注ぎ込むことができる量が少ないため、封止剤４１０を隙間４００に注ぎ込むための時間が長くなってしまい、生産性が低下するおそれがある。
【００９５】
本実施の形態に係るレンズキャップ３００は面取部３１３を有する。そのため、レンズキャップ３００が有する端部のうちベース部２１０に近い端部と、ベース部２１０との前後方向の長さよりも、太い外径を有するニードル５００を隙間４００の中に配置することができる。そのため、面取部３１３が設けられていない場合よりも、太いニードル５００を用いて封止剤４１０を隙間４００に注ぎ込むことができる。従って、生産性の向上を図ることが可能になる。
【００９６】
また、本実施の形態に係るレンズ鏡筒１０では、第１筒部２２０と第２筒部３１０とは、雄ネジ部２２２と雌ネジ部３１２とでネジ作用により嵌り合い、第１嵌合部２２１と第２嵌合部３１１とではそれぞれの滑らかな外周面と滑らかな内周面とで嵌り合う。そして、第２嵌合部３１１の少なくとも一部が、第１嵌合部２２１の一部に嵌合する。
【００９７】
そのため、レンズキャップ３００をレンズ枠２００にネジ込むことで、第２嵌合部３１１を第１嵌合部２２１の一部に嵌め合わせ、その結果として、第１嵌合部２２１の残部が、隙間４００を形成する外周面となる。レンズキャップ３００をレンズ枠２００にネジ込む量が、製造誤差などのためにレンズ鏡筒１０ごと或いはレンズ鏡筒１０を構成するレンズ体１００、レンズ枠２００、レンズキャップ３００のロットごとに異なる場合であっても、第１嵌合部２２１の残部によって隙間４００を形成する滑らかな外周面を確実に形成することができる。従って、レンズ枠２００とレンズキャップ３００との間に設けられた隙間４００をより確実に塞ぐことが可能になる。
【００９８】
本実施の形態に係るレンズ鏡筒１０では、隙間４００に封止剤４１０が充填されている。これにより、雨水、粉塵などが、雄ネジ部２２２と雌ネジ部３１２との間を通じてレンズ枠２００の内部に入り込んで、レンズ体１００に含まれるレンズ１０１の表面に付着する可能性が低減する。これにより、レンズ枠２００内部に入り込んだ雨水、粉塵などが、レンズ１０１の表面に付着して光路障害を生じさせることによって、レンズ鏡筒１０を用いて撮影された撮像画像の解像度が劣化することを抑えることが可能になる。
【００９９】
また、雄ネジ部２２２と雌ネジ部３１２との間を通じてレンズ枠２００の内部に入り込んだ雨水、粉塵などによってレンズ体１００が損傷する可能性を低減することが可能になる。
【０１００】
以上、本発明の一実施の形態について説明したが、本発明は、上記の実施の形態に限定されるものではなく、種々の変形及び応用が可能である。
【０１０１】
例えば、レンズ体１００は、光学フィルタなどの光学部材を含んでもよく、この場合、光学部材は、複数のレンズ１０１の間などに設けられ、互いに隣接する複数のレンズ１０１及び光学部材が当接して配置されるとよい。レンズ体１００に含まれるレンズ１０１は、１枚のみであってもよい。また、複数のレンズ１０１の各々は、屈折率、アッベ数、部分分散比、線膨張係数などの物性、耐久性などが設計上の要求を満たすものであれば、材質は問わない。
【０１０２】
例えば、各レンズ１０１に採用されるレンズ面は、球面、平面、非球面のいずれで形成されてもよい。レンズ面が球面又は平面の場合、各レンズ１０１の加工、レンズ枠２００への組み立て調整などが容易になり、加工及び組立調整の誤差による光学性能の変化を防ぐことができる。レンズ面が非球面の場合、非球面は、研削加工による非球面、ガラスを型で非球面形状に形成したガラスモールド非球面、ガラスの表面に樹脂を非球面形状に形成した複合型非球面のいずれの非球面であってもよい。また、レンズ面は回折面としてもよく、各レンズ１０１は、屈折率分布型レンズ（ＧＲＩＮレンズ）であってもよく、プラスチックレンズであってもよい。
【０１０３】
また、レンズ１０１のレンズ面には、必要に応じて、種々の加工が施されてもよい。この加工の例として、レンズ面の曇り防止、レンズ面での水滴形成の防止などのために、レンズ面を光触媒などによって親水化することを挙げることができる。また、例えば、撮像装置がカメラなどに採用される場合、外部にさらされる可能性がある部位に対して、レンズ面の曇り防止、レンズ面での水滴形成の防止などのために、レンズ面を光触媒などによって親水化することを挙げることができる。
【０１０４】
例えば、レンズ枠２００の内部には、適宜Ｏリングなどが設けられてもよい。具体的には例えば、複数のレンズ１０１のうちの最も前方に位置するレンズ１０１の外周にＯリングが取り付けられてもよい。このＯリングが最も前方に位置するレンズ１０１とレンズ枠２００との各々と密着することで、最も前方に位置するレンズ１０１とレンズ枠２００との間を通じて、レンズ枠２００の内部へ水や粉塵などが入り込む可能性をより低減させることが可能になる。
【０１０５】
例えば、実施の形態では、第１嵌合部２２１の外周面は、光軸Ａを中心として同一の径を有する円が前後方向に延びた円周面である例により説明したが、第１嵌合部２２１の外周面は、滑らかであればよく、好ましくは、周方向に同一の形状を有するとよい。
【０１０６】
ここで、滑らかな形状とは、ネジ山のような凹凸を含まない形状であり、言い換えると、例えば先端が鋭角状の窪みを含まない形状である。第１嵌合部２２１ａ〜２２１ｆは、第１嵌合部２２１ａ〜２２１ｆのそれぞれの光軸Ａを含む平面での断面図である図１１〜１６に例示するような湾曲した部分や屈折した部分を含んでもよい。
【０１０７】
このような滑らかな形状を有することで、隙間４００に注ぎ込まれた封止剤４１０は、隙間４００の隅々に行きわたり易くなり、隙間４００の一部に空気が残り難くなる。従って、レンズ枠２００とレンズキャップ３００との間に設けられた隙間４００をより確実に塞ぐことが可能になる。
【０１０８】
例えば、実施の形態では、第１筒部２２０と第２筒部３１０とが、それぞれ、雄ネジ部２２２と雌ネジ部３１２とを有する例により説明したが、第１筒部２２０と第２筒部３１０とは、それぞれ、雄ネジ部２２２と雌ネジ部３１２とを有していなくてもよい。例えば、実施の形態において雄ネジ部２２２と雌ネジ部３１２とのそれぞれにおいて螺溝が設けられた外周面と内周面とが、滑らかな面であってもよい。この場合、例えば、雄ネジ部２２２と雌ネジ部３１２とのそれぞれにおいて螺溝が設けられた部分に相当する部分に接着剤を塗布することなどによって、第１筒部２２０と第２筒部３１０とが、固定されてもよい。これによっても、実施の形態と同様の効果を奏する。
【０１０９】
例えば、実施の形態では、第２筒部３１０が、第２嵌合部３１１を有する例により説明したが、第２筒部３１０は、第２嵌合部３１１を有していなくてもよい。この場合であっても、第２筒部３１０の先端が、例えば第１筒部２２０に設けられた第１嵌合部２２１の途中まで嵌め込まれることにより、隙間４００が、第１嵌合部２２１の滑らかな外周面で画されることになる。そのため、隙間４００に注ぎ込まれた封止剤４１０は、隙間４００の隅々に行きわたり易くなり、隙間４００の一部に空気が残り難くなる。従って、レンズ枠２００とレンズキャップ３００との間に設けられた隙間４００をより確実に塞ぐことが可能になる。
【０１１０】
例えば、実施の形態では、前面部２１４が、光軸Ａに対して垂直な平面を形成する例により説明したが、前面部２１４は、これに限られない。例えば、前面部２１４は、第１筒部２２０が接続した部分から後方へ光軸Ａからの距離が次第に長くなるように傾斜した平面又は曲面であってもよい。
【０１１１】
例えば、実施の形態では、雄ネジ部２２２と第１嵌合部２２１との外周面の直径が概ね等しい例により説明したが、雄ネジ部２２２の外周面の直径は、第１嵌合部２２１の外周面の直径より短くてもよい。これによっても、第１嵌合部２２１と第２嵌合部３１１とを嵌め合うことができるので、封止剤４１０を隙間４００に流し込んだときに、雄ネジ部２２２と雌ネジ部３１２との間へ封止剤４１０が流れ込み難くすることが可能になる。
【０１１２】
例えば、実施の形態では、封止剤４１０が紫外線硬化性樹脂である例により説明したが、封止剤４１０は、これに限られない。封止剤４１０は、例えば、熱硬化性樹脂であってもよい。この場合、熱硬化性樹脂である封止剤４１０を隙間４００に注ぎ込み、熱乾燥によって硬化することで、隙間４００が塞ぐことができる。
【０１１３】
例えば、実施の形態において、第１嵌合部２２１の外周面に親水性コーティング剤を塗装する、微細な凹凸を形成させるなど、親水性を向上させるための処理を施してもよい。第１嵌合部２２１の外周面の親水性が向上することで、封止剤４１０が隙間４００の隅々まで行きわたり易くなり、隙間４００の一部に空気が残る可能性を低減することが可能になる。また、第１嵌合部２２１に限らず、前面部２１４、第２筒部３１０の後端部及び面取部３１３に親水性を向上させるための処理を施してもよい。
【０１１４】
上述の実施の形態に係るレンズ鏡筒１０は、撮像素子を有する撮像ユニットとして、車載カメラ、監視カメラ等の撮像装置に適用されてもよい。
【０１１５】
図１７は、レンズ鏡筒１０が適用される車載カメラ８００の一例を示す外観斜視図である。図１８は、その車載カメラ８００の断面図である。なお、図１９は、レンズ鏡筒１０が適用される車載カメラ８００の外観の他の例を示す外観斜視図である。
【０１１６】
車載カメラ８００は、図１７及び図１８に示すように、撮像ユニット６００と、制御部７００と、配線７１０とを備える。
【０１１７】
撮像素子６１０は、レンズ鏡筒１０のレンズ体１００を透過した光が結像する撮像面を有し、結像面に結像した画像を示す画像信号を出力する。撮像素子６１０は、例えば、ＣＣＤ（Charge-Coupled Device）イメージセンサ、ＣＭＯＳ（Complementary Metal Oxide Semiconductor）イメージセンサなどから構成される。
【０１１８】
制御部７００は、撮像素子６１０との間で信号を授受できるように配線７１０を介して接続されており、これによって、撮像素子６１０から出力された画像信号を取得する。制御部７００は、取得した電気信号が示す画像に画像処理などを施す。制御部７００は、例えば、１つ又は複数のプロセッサ、ＲＯＭ（Read Only Memory）、ＲＡＭ（Random Access Memory）、フラッシュメモリなどから構成される。
【０１１９】
このような撮像ユニット６００及び車載カメラ８００は、上記実施の形態に係るレンズ鏡筒１０を備える。レンズ鏡筒１０では、レンズ枠２００とレンズキャップ３００との間に設けられた隙間４００をより確実に塞ぐことが可能になるので、雨水、粉塵などが、雄ネジ部２２２と雌ネジ部３１２との間を通じてレンズ枠２００の内部に入り込んで、レンズ体１００に含まれるレンズ１０１の表面に付着したり、撮像素子６１０の撮像面に付着したりする可能性が低減する。これにより、レンズ枠２００内部に入り込んだ雨水、粉塵などが、レンズ１０１の表面に付着して光路障害を生じさせたり、撮像素子６１０の撮像面に付着して映り込んだりすることによって、撮像素子６１０や車載カメラ８００によって撮影された撮像画像の解像度が劣化することを抑えることが可能になる。
【０１２０】
また、雄ネジ部２２２と雌ネジ部３１２との間を通じてレンズ枠２００の内部に入り込んだ雨水、粉塵などによってレンズ体１００や撮像素子６１０が損傷する可能性を低減することが可能になる。
【０１２１】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【０１２２】
本発明は、例えば、車載カメラ、監視カメラなどの撮像装置に適用可能である。
【符号の説明】
【０１２３】
１０                  レンズ鏡筒
１００                レンズ体
１０１                レンズ
２００                レンズ枠
２１０                ベース部
２１１                第３筒部
２１２                フランジ部
２１３                後壁部
２１４                前面部
２１５                穴
２２０                第１筒部
２２１                第１嵌合部
２２２                雄ネジ部
２３０                内壁部
２４０                レンズ収容空間
３００                レンズキャップ
３１０                第２筒部
３１１                第２嵌合部
３１２                雌ネジ部
３１３                面取部
３２０                レンズ係止部
４００                隙間
４１０                封止剤
５００                ニードル
５１０                紫外線照射器
６００                撮像ユニット
６１０                撮像素子
７００                制御部
７１０                配線
８００                車載カメラ
【図１】
0006533703.tif 000002
【図２】
0006533703.tif 000003
【図３】
0006533703.tif 000004
【図４】
0006533703.tif 000005
【図５】
0006533703.tif 000006
【図６】
0006533703.tif 000007
【図７】
0006533703.tif 000008
【図８】
0006533703.tif 000009
【図９】
0006533703.tif 000010
【図１０】
0006533703.tif 000011
【図１１】
0006533703.tif 000012
【図１２】
0006533703.tif 000013
【図１３】
0006533703.tif 000014
【図１４】
0006533703.tif 000015
【図１５】
0006533703.tif 000016
【図１６】
0006533703.tif 000017
【図１７】
0006533703.tif 000018
【図１８】
0006533703.tif 000019
【図１９】
0006533703.tif 000020